(57)【要約】【課題】温水器用バッファタンクを提供する。【解決手段】前記温水器用バッファタンクは、内部に水が保管される空間が形成され、外部から温水が流入する流入口が上部に形成され、前記内部に保管された水が排出される排出口が下部に形成される保管部、前記保管部の内部の空間に形成され、パイプ状を有し、前記流入口と連結されて前記保管部の下部方向に延長形成される第１連結管、および前記保管部の内部の空間に形成され、パイプ状を有し、前記排出口と連結されて前記保管部の上部方向に延長形成される第２連結管を備えることができる。【選択図】図１
2017194262.tif 000002
【特許請求の範囲】
【請求項１】
内部に水が保管される空間が形成され、外部から温水が流入する流入口が上部に形成され、前記内部に保管された水が排出される排出口が下部に形成される保管部、
前記保管部の内部の空間に形成され、パイプ状を有し、前記流入口と連結されて前記保管部の下部方向に延長形成される第１連結管、および
前記保管部の内部の空間に形成され、パイプ状を有し、前記排出口と連結されて前記保管部の上部方向に延長形成される第２連結管を備えることを特徴とする、温水器用バッファタンク。
【請求項２】
前記第１連結管は、
前記流入口を通して流入した温水が前記保管部の底面に排出されるように、前記保管部の底面から離隔された位置まで延長形成され、
前記第２連結管は、
前記保管部の内部の水のうち上部層にある水が前記排出口まで伝達されるように、前記保管部の上部面から離隔された位置まで延長形成されることを特徴とする、請求項１に記載の温水器用バッファタンク。
【請求項３】
前記第１連結管および前記第２連結管は、
上下方向に大きさが異なる複数の貫通孔が形成されていることを特徴とする、請求項１に記載の温水器用バッファタンク。
【請求項４】
前記第１連結管に形成された貫通孔は、上部方向から下部方向に行くほど直径が大きくなり、前記第２連結管に形成された貫通孔は、下部方向から上部方向に行くほど直径が大きくなることを特徴とする、請求項３に記載の温水器用バッファタンク。
【発明の詳細な説明】
【技術分野】
【０００１】
本発明は、温水器用バッファタンクに関し、特に、温水器に設けられ、温水の温度が急激に上がったり下がったりすることを防止できる温水器用バッファタンクに関する。
【背景技術】
【０００２】
一般に、給湯式温水器は、直水管に流入した低温の直水がポンプにより熱交換器に供給され、バーナーにより加熱された後に連結管を通して排出されてバッファタンクに臨時に貯蔵され、バッファタンクに貯蔵された温水は、温水管を通して使用者に供給される。
【０００３】
従来、温水器の内部に備えられるバッファタンクは、大韓民国公開特許公報第２０１１−０１３０８９０号などに開示されているように、バッファタンクの下部に流入口と排出口が形成されていた。即ち、流入口を通して熱交換器で加熱された温水がバッファタンクに流入し、バッファタンクに貯蔵された水（温水）は、排出口を通して排出され、温水管を通して使用者に供給される。しかし、このようにバッファタンクの下部に流入口と排出口を形成する場合、下部から上部方向に温水を流入させるので、ポンプなどを用いて温水を流入させなければならない問題があった。
【先行技術文献】
【特許文献】
【０００４】
【特許文献１】大韓民国公開特許公報第２０１１−０１３０８９０号
【発明の概要】
【発明が解決しようとする課題】
【０００５】
本発明が解決しようとする課題は、温水器に設けられ、温水の温度が急激に上がったり下がったりする場合を防止できる温水器用バッファタンクを提供することにある。
【課題を解決するための手段】
【０００６】
前記課題を達成するための本発明の一実施例に係る温水器用バッファタンクは、内部に水が保管される空間が形成され、外部から温水が流入する流入口が上部に形成され、前記内部に保管された水が排出される排出口が下部に形成される保管部、前記保管部の内部の空間に形成され、パイプ状を有し、前記流入口と連結されて前記保管部の下部方向に延長形成される第１連結管、および前記保管部の内部の空間に形成され、パイプ状を有し、前記排出口と連結されて前記保管部の上部方向に延長形成される第２連結管を備えることができる。
【０００７】
前記第１連結管は、前記流入口を通して流入した温水が前記保管部の底面に排出されるように、前記保管部の底面から離隔された位置まで延長形成され、前記第２連結管は、前記保管部の内部の水のうち上部層にある水が前記排出口まで伝達されるように、前記保管部の上部面から離隔された位置まで延長形成され得る。
【０００８】
前記第１連結管および前記第２連結管は、上下方向に大きさが異なる複数の貫通孔が形成されていてよい。
【０００９】
前記第１連結管に形成された貫通孔は、上部方向から下部方向に行くほど直径が大きくなり、前記第２連結管に形成された貫通孔は、下部方向から上部方向に行くほど直径が大きくなってよい。
【発明の効果】
【００１０】
本発明の技術的思想による一実施例に係る温水器用バッファタンクは、バッファタンクの上部に流入口を形成し、バッファタンクの下部に排出口を形成することにより、ポンプなどの別途の装置なしに温水を流入させることができる長所がある。そして、本発明の技術的思想による一実施例に係る温水器用バッファタンクは、保管部の内部に流入口および排出口にそれぞれ連結されるパイプ状の長い管を設けることにより、バッファタンクの内部の水がよく混ざるようにすることができる長所がある。即ち、水は、温度が高いほど上に上がるようになるので、流入口を通して流入した高い温度の温水がバッファタンクの内部の下部空間から上部空間に上がりながら既存にあったバッファタンクの内部の水とよく混ざることとなる。また、本発明の技術的思想による一実施例に係る温水器用バッファタンクは、第１連結管や第２連結管に形成される貫通孔の大きさを互いに異なるように形成することにより、バッファタンクの内部の全区域における温度偏差が最小化するようにすることができる。
【００１１】
本発明の詳細な説明において引用される図面をより十分に理解するために、各図面の簡単な説明が提供される。
【図面の簡単な説明】
【００１２】
【図１】本発明の技術的思想による一実施例に係るバッファタンクの断面図である。
【図２】図１のバッファタンクに温水が流入して排出される経路を表示した図である。
【図３】図１のバッファタンクの第１連結管または第２連結管の一実施例を示した正面図である。
【発明を実施するための形態】
【００１３】
本発明と本発明の動作上の利点および本発明の実施によって達成される目的を十分に理解するためには、本発明の好ましい実施例を例示する添付の図面および図面に記載の内容を参照すべきである。
【００１４】
以下、添付の図面を参照して本発明の好ましい実施例を説明することにより、本発明を詳細に説明する。各図面に提示された同じ参照符号は、同じ部材を示す。
【００１５】
図１は、本発明の技術的思想による一実施例に係るバッファタンク１００の断面図であり、図２は、図１のバッファタンク１００に温水が流入して排出される経路を表示した図であり、図３は、図１のバッファタンク１００の第１連結管１２０または第２連結管１３０の一実施例を示した正面図である。
【００１６】
図１乃至図３を参照すると、バッファタンク１００は、保管部１１０、第１連結管１２０および第２連結管１３０を備えることができる。
【００１７】
保管部１１０は、内部に水（温水）が保管される空間が形成され、外部から温水が流入する流入口１１３が上部に形成され、前記内部空間に保管された水が排出される排出口１１５が下部に形成され得る。保管部１１０の内部の水も温水であるが、外部から流入する温水と混同を防止するために、以下においては、外部から流入する温水を「温水」と表示し、バッファタンク１００の内部の温水を「水」と表示する。前記外部から流入する温水は、温水器内の熱交換器などを経て加熱された高い温度の温水であってよい。保管部１１０は、内部に水が保管される空いた空間が形成されている筒状であってよく、内部の空間には、第１連結管１２０および第２連結管１３０が形成され得る。
【００１８】
第１連結管１２０は、保管部１１０の内部の空間に形成され、パイプ状を有し、流入口１１３と連結されて保管部１１０の下部方向に延長形成されていてよい。第１連結管１２０は、一端が流入口１１３と連結されており、他端は保管部１１０の内部の空間に位置するようにして、流入した温水が保管部１１０の内部の空間に伝達されるようにすることができる。第１連結管１２０は、流入口１１３を通して流入した温水が保管部１１０の底面に排出されるように、保管部１１０の底面から離隔された位置まで延長形成され得る。即ち、図１および図２に示されたように、保管部１１０の内部空間の底面から一定間隔離隔された位置まで第１連結管１２０が形成されることで、流入口１１３を通して流入した温水が、第１連結管１２０を通して保管部１１０の底面に排出され得る。
【００１９】
第２連結管１３０は、保管部１１０の内部の空間に形成され、パイプ状を有し、排出口１１５と連結されて保管部１１０の上部方向に延長形成されていてよい。第２連結管１３０は、一端が排出口１１５と連結されており、他端は保管部１１０の内部の空間に位置するようにして、保管部１１０の内部の水を排出口１１５に伝達されるようにすることができる。第２連結管１３０は、保管部１１０の内部の水のうち上部層にある水が排出口１１５まで伝達されるように、保管部１１０の上部面から離隔された位置まで延長形成され得る。即ち、図１および図２に示されたように、保管部１１０の内部空間の上部面から一定間隔離隔された位置まで第２連結管１３０が形成されることで、保管部１１０の内部の水が第２連結管１３０を通して排出口１１５に伝達され得る。前記伝達された水は、排出口１１５を通してバッファタンク１００の外部に排出され得る。
【００２０】
このように、第１連結管１２０が保管部１１０の上部に形成された流入口１１３から下部方向に延長形成されており、流入した温水が第１連結管１２０に沿って下部方向に移動するので、ポンプなどの別途の装置を利用しなくても自然に前記流入した温水を保管部１１０の底面に移動させることができる。同様に、第２連結管１２０が保管部１１０の下部に形成された排出口１１５から上部方向に延長形成されており、保管部１１０の内部の水が第２連結管１３０に沿って下部方向に移動するようになるので、保管部１１０の上部の水を自然に排出口１１５を通して排出させることができる。
【００２１】
第１連結管１２０は、図１乃至図３に示されたように、上下方向に大きさが異なる複数の貫通孔Ｈ１が形成され得る。第１連結管１２０の内部を通して伝達される温水が貫通孔Ｈ１を通して保管部１１０の内部に伝達されるので、温水と水がより円滑に混合され得る。また、第１連結管１２０に形成された貫通孔Ｈ１は、大きさが異なることがあるが、例えば、上部方向から下部方向に行くほど直径が大きくなってよい。このように、貫通孔Ｈ１の直径を異なるようにすることで、第１連結管１２０を通して伝達される温水が、保管部１１０の内部の水とよりよく混ざるようにすることができる。
【００２２】
第２連結管１３０も、図１乃至図３に示されたように、上下方向に大きさが異なる複数の貫通孔Ｈ２が形成され得る。保管部１１０の内部の水は、貫通孔Ｈ２を通して第２連結管１３０の内部に伝達され、排出口１１５に伝達され得る。また、第２連結管１３０に形成された貫通孔Ｈ２も、大きさが異なることがあるが、例えば、下部方向から上部方向に行くほど直径が大きくなってよい。このように、貫通孔Ｈ２の直径を異なるようにすることで、保管部１１０の内部の水のうち下部にある水より上部にある水がさらに多く第２連結管１３０に流入され得る。
【００２３】
図２を参照すると、流入した温水Ａがバッファタンク１００を通して排出される経路が分かる。図２に示されたように、外部から流入口１１３を通して温水が流入すると、第１連結管１２０を通して保管部１１０の内部の空間に伝達される。このとき、第１連結管１２０に形成された第１貫通孔Ｈ１を通して保管部１１０の水と混ざったり、第１連結管１２０の他端を通して保管部１１０の底面に排出されたりもする。外部から流入する温水は、保管部１１０の内部にある水より温度が高いので、第１連結管１２０を通して流入した温水は、保管部１１０の上部方向に移動しながら保管部１１０の内部の水と混ざることとなる。この場合、保管部１１０の上部にある水が下部にある水より温度が高くなり、温度の高い上部にある水は、第２連結管１３０の他端および第２連結管１３０に形成された貫通孔Ｈ２を通して第２連結管１３０の内部に伝達される。そして、第２連結管１３０に伝達された水は、排出口１１５に伝達され、排出口１１５を通してバッファタンク１００の外部に流出される。
【００２４】
以上のように、図面と明細書において最適な実施例が開示された。ここで、特定の用語が用いられているが、これは、単に本発明を説明するための目的で用いられたものであり、意味限定や特許請求の範囲に記載された本発明の範囲を制限するために用いられたものではない。それゆえ、本技術分野における通常の知識を有する者であれば、これより様々な変形および均等な他の実施例が可能であるという点を理解するだろう。従って、本発明の正しい技術的保護範囲は、添付の特許請求の範囲の技術的思想により定められるべきである。
【図１】
2017194262.tif 000003
【図２】
2017194262.tif 000004
【図３】
2017194262.tif 000005